(57)【要約】【課題】各種イオンの透過を抑制し、アンテナの腐食を防ぐことができる非接触型情報媒体を提供する。【解決手段】アンテナ基材２０と、アンテナ基材２０の一方の面に設けられたコイルアンテナ２１と、アンテナ基材２０の一方の面に実装され、コイルアンテナ２１が接続されたＩＣチップ２２とを有する非接触型のＩＣインレットと、コイルアンテナ２１の表面及びコイルアンテナ２１の外側に露出するアンテナ基材２０の一方の面と、この一方の面と反対のアンテナ基材２０の面にそれぞれ接着剤層３１ａ、３１ｂを介して積層接着された一対の外装基材３０ａ、３０ｂとを備え、コイルアンテナ２１の長さ方向と直交する幅方向の断面形状を、アンテナ基材２０の一方の面と接するコイルアンテナ２１の面が平面で、この平面と反対のコイルアンテナ２１の面が凸状の円弧面を有する形状に形成した。【選択図】図３
2012078912.tif 000002
【特許請求の範囲】
【請求項１】
アンテナ基材と、前記アンテナ基材の一方の面に設けられたコイルアンテナと、前記アンテナ基材の一方の面に実装され前記コイルアンテナが接続されたＩＣチップとを有する非接触型のＩＣインレットと、
前記コイルアンテナの表面及び該コイルアンテナの外側に露出する前記アンテナ基材の一方の面と、前記一方の面と反対の前記アンテナ基材の面にそれぞれ接着剤層を介して積層接着された一対の外装基材とを備え、
前記コイルアンテナの長さ方向と直交する幅方向の断面形状を、前記アンテナ基材の一方の面と接する前記コイルアンテナの面が平面で、この平面と反対の面が凸状の円弧面を有する形状に形成した、
ことを特徴とする非接触型情報媒体。
【請求項２】
アンテナ基材と、前記アンテナ基材の一方の面に設けられたコイルアンテナと、前記アンテナ基材の一方の面に実装され前記コイルアンテナが接続されたＩＣチップとを有する非接触型のＩＣインレットと、
前記コイルアンテナの表面及び該コイルアンテナの外側に露出する前記アンテナ基材の一方の面と、前記一方の面と反対の前記アンテナ基材の面にそれぞれ接着剤層を介して積層接着された一対の外装基材とを備え、
前記コイルアンテナの長さ方向と直交する幅方向の断面形状を、前記アンテナ基材の一方の面と接する前記コイルアンテナの面を下底とし、この下底と反対側の面を上底とする等脚台形状であり、かつ前記等脚台形状の上辺側の内角が二次曲線に湾曲しており、かつ前記等脚台形状の下辺側の外角が二次曲線に湾曲している形状に形成した、
ことを特徴とする非接触型情報媒体。
【請求項３】
前記一対の外装基材が多孔質熱可塑性材であることを特徴とする請求項１または２記載の非接触型情報媒体。
【請求項４】
互いに開閉可能な表表紙と裏表紙を有する表紙と、
前記表表紙と裏表紙の間に綴じられた本文用紙を備え、
前記表表紙もしくは前記裏表紙と、該表表紙もしくは裏表紙に貼着される内貼り材との間に請求項１乃至３記載の何れかの非接触型情報媒体を装着した。
ことを特徴とするＩＣ冊子。
【請求項５】
請求項１乃至３記載の何れかの非接触型情報媒体が収容筐体内に装着されている、
ことを特徴とするＩＣカード。
【請求項６】
請求項１乃至３記載の何れかの非接触型情報媒体が収容筐体内に装着されている、
ことを特徴とするＩＣタグ。
【請求項７】
前記収容筐体は、中間層とその表裏面に設けられる表面層および裏面層印刷・複写媒体からなることを特徴とする請求項５記載のＩＣカードまたは請求項６記載のＩＣタグ。
【発明の詳細な説明】
【技術分野】
【０００１】
本発明は、固有の識別情報を格納したＩＣチップと、この識別情報を送受信するアンテナとを有する非接触型のＩＣインレットを内蔵してなる非接触型情報媒体及びこれを用いた冊子並びにＩＣカード、ＩＣタグに関する。
【背景技術】
【０００２】
近年、非接触ＩＣカードや非接触ＩＣタグを用いたシステムが普及する中、例えばパスポートや預貯金通帳冊子に非接触ＩＣモジュールをそれに接続されたアンテナからなるＩＣインレットを外装基材で挟み込んで非接触型情報媒体とし、この非接触型情報媒体を表紙等に張り合わせた等で装填した、電子データの記入や印字が可能な非接触型情報媒体付属冊子が開発され公知となっている。
【０００３】
非接触ＩＣカードや非接触ＩＣ付冊子（パスポート等）などに内蔵され、非接触状態で識別情報の送受信を行って、識別情報の記録・消去などが行える情報記録メディア（ＦＲＩＤ：Radio Frequency identification)の用途に用いられる非接触型ＩＣインレットは、絶縁性を有する有機基材上に金属（銅やアルミニウム）の導電材よりなるアンテナとこれに接続するＦＲＩＤ用ＩＣチップを実装した構成を有している。
【０００４】
上記非接触型ＩＣインレットを内蔵する冊子として、特許文献１に示すものが知られている。かかるＩＣ付冊子は、第１の基材シートと、この第１の基材シートの上面に接着剤層を介して接着され、所定の広さの開口部を有する第２の基材シートと、この第１の基材シートの開口部と第１の基材シートとで形成された凹部内の第１の基材シートの上面に接着剤層により接着されたＩＣチップ及びこれに接続されたコイルアンテナと、第１の基材シートの第１の基材シートと反対の面に接着剤層を設けてなる非接触型データキャリアを備え、この非接触型データキャリアを冊子の裏表紙の内面に貼付することで構成される。
【０００５】
前記非接触型ＩＣインレットの規格には、ＩＣインレットが耐塩水試験において、ある一定の時間正常に通信がとれることが条件である。しかし、この塩水試験の際に冊子の中間層内に水分を媒介として塩化物イオン、ナトリウムイオンが透過することがある。
ところで、第１の基材シート上に第２の基材シートを接着する及びコイルアンテナを含むＩＣチップを凹部内の第１の基材シートの上面に接着する接着剤層は、上記各種イオンの透過抑制性能を有している。
【０００６】
しかしながら、コイルアンテナを含むＩＣチップを第１の基材シート面に接着する接着剤が第１の基材シート面に均一に塗布されているとは限らない。すなわち、接着剤が塗布されない部分や、接着剤層の薄い部分が生じていることがある。しかも、コイルアンテナの長さ方向と直交する幅方向の両端面は第１の基材シートの上面に対して鉛直になっているため、ＩＣチップを第１の基材シートの上面に接着剤で接着しても、コイルアンテナの幅方向の両端面と対向する箇所に接着剤がいきわたらない部分が発生し、間隙を生じさせることになる。その結果、間隙が生じている部分から各種イオンが透過し易くなり、各種イオンが透過すると隙間腐食が生じ、コイルアンテナを断線させてしまうほか、ＩＣインレットの通信不良または通信不能を発生させる要因となっていた。
【先行技術文献】
【特許文献】
【０００７】
【特許文献１】特開２００２−４２０６８号公報
【発明の概要】
【発明が解決しようとする課題】
【０００８】
本発明は、上記のような従来の問題点を解決するためになされたもので、各種イオンの透過を抑制し、アンテナの腐食を防ぐことができる非接触型情報媒体及びこれを用いたＩＣ冊子並びにＩＣカード、ＩＣタグを提供することを目的とする。
【課題を解決するための手段】
【０００９】
上記目的を達成するために請求項1の発明は、非接触型情報媒体であって、アンテナ基材と、前記アンテナ基材の一方の面に設けられたコイルアンテナと、前記アンテナ基材の一方の面に実装され前記コイルアンテナが接続されたＩＣチップとを有する非接触型のＩＣインレットと、前記コイルアンテナの表面及び該コイルアンテナの外側に露出する前記アンテナ基材の一方の面と、前記一方の面と反対の前記アンテナ基材の面にそれぞれ接着剤層を介して積層接着された一対の外装基材とを備え、前記コイルアンテナの長さ方向と直交する幅方向の断面形状を、前記アンテナ基材の一方の面と接する前記コイルアンテナの面が平面で、この平面と反対の面が凸状の円弧面を有する形状に形成したことを特徴とする。
【００１０】
請求項２の発明は、非接触型情報媒体であって、アンテナ基材と、前記アンテナ基材の一方の面に設けられたコイルアンテナと、前記アンテナ基材の一方の面に実装され前記コイルアンテナが接続されたＩＣチップとを有する非接触型のＩＣインレットと、前記コイルアンテナの表面及び該コイルアンテナの外側に露出する前記アンテナ基材の一方の面と、前記一方の面と反対の前記アンテナ基材の面にそれぞれ接着剤層を介して積層接着された一対の外装基材とを備え、前記コイルアンテナの長さ方向と直交する幅方向の断面形状を、前記アンテナ基材の一方の面と接する前記コイルアンテナの面を下底とし、この下底と反対側の面を上底とする等脚台形状であり、かつ前記等脚台形状の上辺側の内角が二次曲線に湾曲しており、かつ前記等脚台形状の下辺側の外角が二次曲線に湾曲している形状に形成したことを特徴とする。
【００１１】
請求項３の発明は、請求項１または２記載の非接触型情報媒体において、前記一対の外装基材が多孔質熱可塑性材であることを特徴とする。
【００１２】
請求項４の発明は、ＩＣ冊子であって、互いに開閉可能な表表紙と裏表紙を有する表紙と、前記表表紙と裏表紙の間に綴じられた本文用紙を備え、前記表表紙もしくは前記裏表紙と、該表表紙もしくは裏表紙に貼着される内貼り材との間に請求項１乃至３記載の何れかの非接触型情報媒体を装着したことを特徴とする。
【００１３】
請求項５の発明は、ＩＣカードであって、請求項１乃至３記載の何れかの非接触型情報媒体が収容筐体内に装着されていることを特徴とする。
【００１４】
請求項６の発明は、ＩＣタグであって、請求項１乃至３記載の何れかの非接触型情報媒体が収容筐体内に装着されていることを特徴とする。
【００１５】
請求項７の発明は、請求項５記載のＩＣカードまたは請求項６記載のＩＣタグにおいて、前記収容筐体は、中間層とその表裏面に設けられる表面層および裏面層印刷・複写媒体からなることを特徴とする。
【発明の効果】
【００１６】
本発明の非接触型情報媒体及びこれを用いたＩＣ冊子並びにＩＣカード、ＩＣタグによれば、各種イオンの透過を抑制し、アンテナの腐食を防ぐことができる。
【図面の簡単な説明】
【００１７】
【図１】本発明の非接触型情報媒体を有する冊子の一例を示す斜視図である。
【図２】本発明の非接触型情報媒体に使用される非接触ＩＣインレットの一例を示す概略平面図である。
【図３】（ａ）は本発明にかかる非接触型情報媒体の一部の拡大断面図、（ｂ）は本発明にかかる非接触型情報媒体の他の例を示す一部の拡大断面図である。
【発明を実施するための形態】
【００１８】
以下、本発明の実施の形態について図１乃至図３を参照して詳細に説明する。
本発明の非接触型情報媒体１０を有する冊子１００は、図1に示すように、二つ折り可能な表表紙１１ａと裏表紙１１ｂを有する表紙１１と、この表紙１１の内側に綴じられた本文用紙１２を備える。そして、非接触型情報媒体１０は、表表紙１１ａ（または裏表紙１１ｂでもよい）の内面と、これに貼着されるクロスまたは紙などからなる内貼り材１２との間に挟み込まれた状態で装着されている。
【００１９】
次に、非接触型情報媒体１０に使用されるＩＣインレットの構成について図２及び図３を参照して説明する。
ＩＣインレット２００は、図２に示すように、矩形状のシート材からなるアンテナ基材２０と、このアンテナ基材２０の一方の面に、アンテナ基材２０の形状に合わせて渦巻状に設けられ識別デート等を送受信するアルミアルミ製のコイルアンテナ２１と、アンテナ基材２０の一方の面に実装され固有の識別デート等を格納するＩＣチップ２２と、コイルアンテナ２１の両端をジャンパ線２４を介してＩＣチップ２２に接続するリードフレーム２３とを含んで構成される。
また、ＩＣインレット２００の両面、すなわちは、コイルアンテナ２１の表面を含めたアンテナ基材２０の一方の面と、この一方の面と反対のアンテナ基材２０の面には、図３に示すように、接着層３１ａ，３１ｂを介して外装基材３０ａ，３０ｂがそれぞれ積層接着されている。これにより、非接触型情報媒体１０が構成される。また、このように構成された非接触型情報媒体１０は、表表紙１１ａの内面と内貼り材１２との間に挟み込まれることで冊子１００に装着される。
【００２０】
ところで、従来におけるＩＣインレットのコイルアンテナは、アンテナ基材上にエッチング方式やワイヤボンディング方式、印刷方式などによって形成される。このコイルアンテナと接触するリードフレームは溶接方式などによって実装される。また、ＩＣチップとコイルアンテナコイルとアンテナ基材からなるＩＣインレットは、ＩＣ自身の厚みや、アンテナの厚み、ジャンパ線とアンテナの接合部や、アンテナ基材自体の厚みなどにより、凹凸のあるシートとなっている。このようなＩＣインレットを外装基材の間に挟んで非接触型情報媒体に加工する際、外観上はこれらの凹凸を無くすことが望ましい。
【００２１】
そこで、本実施の形態における非接触型情報媒体１０では、外装基材３０ａ，３０ｂに多孔質熱可塑性材を使用する。そして、非接触型情報媒体１０作成に際しては、図３（ａ）に示すように、ＩＣインレット２００の両面に、各種イオンの透過抑制機能を有する接着剤を塗布して接着層３１ａ，３１ｂを形成した後、外装基材３０ａ，３０ｂを積層し、加熱しながら加圧することで接着する。これにより、外観上凹凸のない非接触型情報媒体１０を得ることができる。
【００２２】
さらに、本実施の形態に示す非接触型情報媒体１０おいては、コイルアンテナ２１の長さ方向と直交する幅方向の断面形状を、図３（ａ）に示すように、アンテナ基材２０の一方の面と接する下面２０ａが平面で、この平面と反対の上面２０ｂが凸状の円弧面を有する形状に形成する。すなわち、コイルアンテナ２１の幅方向の両端がアンテナ基材２０の一方の面と接する箇所からコイルアンテナ２１の厚さ方向に行くに従い２次曲線状に湾曲する凸形状に形成する。この場合、コイルアンテナ２１の幅方向の両端部における円弧面とアンテナ基材２０の一方の面との成す角度θは９０度以上１８０度未満で作製してもよいが、最も望ましい角度θは１２０度以上１５０度未満である。
なお、ジャンパ線２４においても、その長手方向と直交する断面形状は、コイルアンテナ２１の断面形状と同様な形状に形成することが望ましい。
【００２３】
上述のようにコイルアンテナ２１の幅方向の断面形状を、アンテナ基材２０の一方の面と接する下面２０ａを平面とし、この平面と反対の上面２０ｂを緩やかな丸みを帯びた凸状の円弧面となる形状にすることにより、コイルアンテナの幅方向の両端箇所にも接着剤を均一にいきわたらせることが可能になる。その結果、従来のような間隙を生じさせることがなくなり、各種イオンの透過を抑制し、耐塩水性に優れ、アンテナの腐食を防ぐことができるとともに、ＩＣインレットの通信不良または通信不能の発生も防止できる。これにより、冊子を長寿命化でき、かつ品質の向上により安定的な使用が可能になる。
【００２４】
また、本発明に係る非接触型情報媒体１０のコイルアンテナ２１の断面形状は図３（ａ）に示すものに限定されない。例えば、図３（ｂ）に示すように、コイルアンテナ２１の長さ方向と直交する幅方向の断面形状を、図３（ｂ）に示すように、前記アンテナ基材２０の一方の面と接する前記コイルアンテナの面を下底とし、この下底と反対側の面を上底とする等脚台形形状であり、かつ前記等脚台形の上辺側の内角が二次曲線状に湾曲しており、かつ前記台形の下辺側の外角が二次曲線状に湾曲している形状に形成してもよい。
【００２５】
このようにコイルアンテナ２１の長さ方向と直交する幅方向の断面形状を等脚台形形状にすることにより、上記図３（ａ）に示す場合と同様な効果を得ることができる。
【００２６】
次に、本発明の実施例について説明する。
（実施例1）
コイルアンテナの幅方向の断面形状を、アンテナ基材の一方の面と接する面を平面とし、この平面と反対の面２０ｂを緩やかな丸みを帯びた凸状の円弧面となる形状に作製されたアンテナを有する非接触型情報媒体に対して一定時間塩水試験を行った。
上記条件で塩水試験を行った結果、非接触型情報媒体１２ピース中に通信不良または通信不能を生じさせる製品はなかった。また、コイルアンテナ部分の腐食も確認されなかった。
【００２７】
次に、本発明に対する比較例について説明する。
（比較例1）
コイルアンテナの長さ方向と直交する幅方向の両端面と第１の基材シートの上面との成す角度が９０度となる断面形状を有するコイルアンテナを用いて非接触型情報媒体を作製し、この非接触型情報媒体に対して一定時間塩水試験を行った。
上記条件で塩水試験を行った結果、非接触型情報媒体１２ピース中、1ピースが通信不良または通信不能を生じさせる製品であった。通信不良または通信不能の製品についてコイルアンテナ部分に腐食が発生していることが確認された。
【００２８】
（効果の確認）
非接触型情報媒体中のコイルアンテナ部の一部を切り取り、断面観察を行った。その結果、上記実施例１で使用した非接触型情報媒体のコイルアンテナ上の接着剤層は均一な層であった。しかし、上記比較例１で使用した非接触型情報媒体の通信不良または通信不能となった製品では、コイルアンテナの端部は接着剤層が薄く、アンテナの幅方向の両端面に対向する箇所に間隙が見られ、アンテナの腐食が確認された。
【００２９】
上記実施の形態では、非接触型情報媒体を冊子に使用した場合について説明したが、本発明はこれに限らず、冊子以外のＩＣカードやＩＣタグにも使用することができる。
以下、本発明の非接触型情報媒体をＩＣカードやＩＣタグに使用する場合について説明する。
【００３０】
ＩＣカードやＩＣタグに使用される非接触型情報媒体は、ＩＣチップと上述の断面形状を有するコイルアンテナを備えた非接触型ＩＣインレットを印刷・複写媒体からなる収容筐体に内蔵することで構成される。この場合、収容筐体である印刷・複写媒体は、中間層とその表裏面に設けられる表面層および裏面層の３層構造からなり、中間層はパルプ繊維を主体とした原紙で、この原紙の所定の位置に、コイルアンテナの外周を最大とする平面形状に応じた、もしくはやや大きめの貫通する穴が形成され、この穴内に非接触型ＩＣインレットをセットすることで非接触型情報媒体が構成される。この場合のコイルアンテナの長さ方向と直交する幅方向の断面形状は、アンテナ基材の一方の面と接するコイルアンテナの面が平面で、この平面と反対とコイルアンテナの面が凸状の円弧面を有する形状に形成されている。
また、ＩＣカードやＩＣタグに使用される収納筐体は、ＩＣカードまたはＩＣタグに適合した形状の専用筐体が使用される。
【符号の説明】
【００３１】
１０……非接触型情報媒体
１１……表紙用部材
１２……内貼り用紙
１３……本文部分
２０……アンテナ基材
２１……コイルアンテナ
２２……ＩＣチップ
２３……リードフレーム
３０ａ，３０ｂ……外装基材
３１ａ，３１ｂ……接着剤層
１００……冊子
２００……ＩＣインレット
【図１】
2012078912.tif 000003
【図２】
2012078912.tif 000004
【図３】
2012078912.tif 000005